(57)【特許請求の範囲】
【請求項１】
一又は複数の竿体を備え、釣糸を結着するための釣糸結着具が先端部に取り付けられた延べ竿式の釣竿であって、
釣糸結着具が取り付けられた竿体のブランクは、竿先側の突っ張り領域と竿元側のベンディング領域に区画され、突っ張り領域は、ベンディング領域よりも短く、突っ張り領域の先端側の一部が釣糸結着具を取り付けるための結着具取付領域であり、
前記ブランクは、プリプレグから筒状に形成されたものであり、該プリプレグは、竿体の全長に亘って巻回されたメインプリプレグと、竿体の全長のうち結着具取付領域に巻回された径調整用プリプレグと、径調整用プリプレグよりも長く、竿体の全長のうち突っ張り領域のみに巻回された剛性付加用プリプレグとを備えていることを特徴とする釣竿。
【請求項２】
剛性付加用プリプレグは、強化繊維が竿体の長手方向に指向したものであり、径調整用プリプレグは、周方向に指向した強化繊維を有する請求項１記載の釣竿。
【請求項３】
剛性付加用プリプレグの強化繊維はメインプリプレグの強化繊維よりも高弾性である請求項２記載の釣竿。
【請求項４】
メインプリプレグは、強化繊維が竿体の長手方向に対して一方向に向けて１０度以下の角度で傾斜した第一のバイアスプリプレグと、強化繊維が竿体の長手方向に対して前記一方向とは反対側の他方向に向けて１０度以下の角度で傾斜した第二のバイアスプリプレグとを積層したものである請求項１乃至３の何れかに記載の釣竿。
【請求項５】
メインプリプレグは一巻き以上巻回され、剛性付加用プリプレグはその周方向の半分以上がメインプリプレグの層間に挟み込まれている請求項１乃至４の何れかに記載の釣竿。
【請求項６】
剛性付加用プリプレグはメインプリプレグの層間に一巻き以上挟み込まれている請求項５記載の釣竿。
【請求項７】
剛性付加用プリプレグが巻回された領域の長さは、釣竿の全長の１〜１５％である請求項１乃至６の何れかに記載の釣竿。
【請求項８】
釣糸を結着するための釣糸結着具が先端部に取り付けられた延べ竿式の釣竿の穂先竿であって、
ブランクは、竿先側の突っ張り領域と竿元側のベンディング領域に区画され、突っ張り領域は、ベンディング領域よりも短く、突っ張り領域の先端側の一部が釣糸結着具を取り付けるための結着具取付領域であり、
ブランクは、プリプレグから筒状に形成されたものであり、該プリプレグは、竿体の全長に亘って巻回されたメインプリプレグと、竿体の全長のうち結着具取付領域に巻回された径調整用プリプレグと、径調整用プリプレグよりも長く、竿体の全長のうち突っ張り領域のみに巻回された剛性付加用プリプレグとを備えていることを特徴とする穂先竿。
【発明の詳細な説明】
【技術分野】
【０００１】
本発明は、延べ竿式の釣竿や外ガイド式の釣竿、及び、延べ竿式の釣竿の穂先竿に関する。
【背景技術】
【０００２】
例えば、鮎竿に代表される全長の長い延べ竿は、複数の竿体を振出式又は並継ぎ式に継ぎ合わせた構成とされる。その複数の竿体のうち最も竿先に位置する穂先竿は、その竿元側に位置する穂持竿に対して振出式又は並継ぎ式に継ぎ合わせられる。そして、その穂先竿の先端部に取り付けられた釣糸結着具に釣糸を結着して使用される。
【０００３】
例えば、鮎の友釣りにおいては囮となる鮎を狙ったポイントに誘導していくが、その囮の鮎の動きや泳ぎの情報、あるいは、ハリが川底に擦れるといったような水中の情報を釣り人が正確に把握することが重要になる。そして、そのような水中情報をどの程度把握できるか否かによって釣果にも大きな差が生じることになる。このような水中情報は釣糸から釣竿の穂先竿へと振動として伝達し、更には釣竿から釣り人へと伝達することになるが、その伝達経路の中でも特に釣糸と釣竿との接点である穂先の感度は重要となる。
【０００４】
これに対して従来の鮎竿においては、穂先から竿元にかけて徐々に大径となるようにして綺麗なベンディングカーブを描くように設計されていたが、釣糸を伝達してきた水中情報が釣糸から釣竿の穂先に伝達される際に減衰しやすいことから、釣り人の手元まで正確に水中情報を伝達できる釣竿の構成が求められていた。このような水中情報は、鮎竿に代表される全長の長い延べ竿において特に重要になるものの、他の釣りにおいても同様であって、例えば、投げ釣りでは錘が海底を移動するときの情報をキャッチすることで海底の凹凸を把握することができる。
【先行技術文献】
【特許文献】
【０００５】
【特許文献１】特許第３９５６２０９号公報
【発明の概要】
【発明が解決しようとする課題】
【０００６】
それゆえに本発明は上記従来の問題点に鑑みてなされ、釣糸から釣竿に水中情報が高感度に伝達される釣竿及び穂先竿を提供することを課題とする。
【課題を解決するための手段】
【０００７】
本発明は上記課題を解決すべくなされたものであって、本発明に係る釣竿は、一又は複数の竿体を備え、釣糸を結着するための釣糸結着具が先端部に取り付けられた延べ竿式の釣竿であって、釣糸結着具が取り付けられた竿体のブランクは、竿先側の突っ張り領域と竿元側のベンディング領域に区画され、突っ張り領域は、ベンディング領域よりも短く、突っ張り領域の先端側の一部が釣糸結着具を取り付けるための結着具取付領域であり、前記ブランクは、プリプレグから筒状に形成されたものであり、該プリプレグは、竿体の全長に亘って巻回されたメインプリプレグと、竿体の全長のうち結着具取付領域に巻回された径調整用プリプレグと、径調整用プリプレグよりも長く、竿体の全長のうち突っ張り領域のみに巻回された剛性付加用プリプレグとを備えていることを特徴とする。
【０００８】
該構成の釣竿にあっては、釣糸結着具が取り付けられた竿体のブランクは、プリプレグから筒状に形成されたものである。釣竿が一本の竿体から構成されている場合にはその竿体の先端部に釣糸結着具が取り付けられており、また、釣竿が複数本の竿体から構成されている場合には、その複数の竿体のうち最も穂先側に位置する穂先竿の先端部に釣糸結着具が取り付けられている。そして、先端部に釣糸結着具が取り付けられた竿体のブランクは、各種のプリプレグをマンドレルに巻回して筒状に形成されたものであるが、そのプリプレグには、少なくとも二つのプリプレグを用いる。即ち、竿体の全長に亘って巻回されたメインプリプレグと、竿体の全長のうち、ブランクの先端から所定範囲の領域のみに巻回された剛性付加用プリプレグとを用いる。メインプリプレグが竿体の全長に亘って巻回されているので、ブランクは継ぎ合わせ部のない連続した一本の構成となり、高い周波数の振動や小さい振動を減衰少なく竿元側に伝達できる。そして、剛性付加用プリプレグが結着具取付領域を竿元側に所定長さ越えて巻回されていて、その剛性付加用プリプレグが巻回された所定領域は局所的に剛性が大きくなり、曲がりにくくなる。つまり、剛性付加用プリプレグが巻回された所定領域が突っ張り領域として機能することになり、穂先の突っ張り領域では曲がりにくく、それよりも竿元側の領域において大きく曲がることになる。そして、穂先に突っ張り領域が形成されることにより、穂先の感度が向上することになり、例えば、鮎の友釣りにおいては囮あゆの動きやハリが川底を擦る様子を敏感に感じ取ることができる。
【０００９】
また、一又は複数の竿体を備え、該竿体の外側に釣糸ガイドを備えた外ガイド式の釣竿であって、トップガイドが取り付けられた竿体のブランクはプリプレグから筒状に形成されたものであり、該プリプレグは、竿体の全長に亘って巻回されたメインプリプレグと、竿体の全長のうち、ブランクの先端からトップガイドを取り付けるためのガイド取付領域を竿元側に所定長さ越えた位置までの領域のみに巻回された剛性付加用プリプレグとを備えていることを特徴とする。
【００１０】
該構成の釣竿においても同様に、剛性付加用プリプレグが巻回された所定領域が突っ張り領域として機能することになり、穂先の突っ張り領域では曲がりにくく、それよりも竿元側の領域において大きく曲がることになる。そして、穂先に突っ張り領域が形成されることにより、穂先の感度が向上することになり、例えば、投げ釣りや磯釣り、船釣り等、各種の釣りにおいて、水中情報を敏感に感じ取ることができる。
【００１１】
特に、剛性付加用プリプレグの強化繊維はメインプリプレグの強化繊維よりも高弾性であることが好ましい。剛性付加用プリプレグが巻回された領域である突っ張り領域の剛性がより一層向上することになるうえに、剛性付加用プリプレグが巻回されることによる重量増加も抑制することができ、軽い穂先を得ることができると共に、より一層高感度な穂先となる。
【００１２】
また、メインプリプレグは、強化繊維が竿体の長手方向に対して一方向に向けて１０度以下の角度で傾斜した第一のバイアスプリプレグと、強化繊維が竿体の長手方向に対して前記一方向とは反対側の他方向に向けて１０度以下の角度で傾斜した第二のバイアスプリプレグとを積層したものであり、剛性付加用プリプレグは、強化繊維が竿体の長手方向に指向したものであることが好ましい。強化繊維が１０度以下の傾斜角度で傾斜した第一及び第二のバイアスプリプレグを互いの繊維の指向方向がクロス（交差）するように積層したものをメインプリプレグとして使用することにより、長手方向に指向しているものに比してブランクの捻り剛性を向上させることができる。その一方、剛性付加用プリプレグには強化繊維が竿体の長手方向に指向したものを使用することにより、突っ張り領域におけるツッパリ感を容易に確保できる。メインプリプレグにバイアスプリプレグを使用することによってブランク全体の捻り剛性は向上する一方、強化繊維が長手方向に指向している場合に比して若干曲げ剛性は低下する。従って、突っ張り領域とそれよりも竿元側の領域との間の曲げ剛性の違いが大きくなり、突っ張り領域は曲がりにくくなる一方、竿元側の領域については曲がりやすくなり、より一層高感度な穂先が得られる。
【００１３】
また、メインプリプレグは一巻き以上巻回され、剛性付加用プリプレグはその周方向の半分以上がメインプリプレグの層間に挟み込まれていることが好ましい。該構成によれば、剛性付加用プリプレグが周方向に半分以上の長さに亘ってメインプリプレグの層間に位置していて、メインプリプレグの内側の層と外側の層との間に剛性付加用プリプレグが挟み込まれた状態となっている。即ち、メインプリプレグと剛性付加用プリプレグとがセットで巻回されることになるため、突っ張り領域においてメインプリプレグと剛性付加用プリプレグとが融合して一体化することになり、層間の高い密着性が得られて、より一層高い感度が得られる。
【００１４】
その場合、特に、剛性付加用プリプレグはメインプリプレグの層間に一巻き以上挟み込まれていることが好ましく、メインプリプレグと剛性付加用プリプレグとがより一層強固に一体化して、高い感度が得られる。
【００１５】
また、剛性付加用プリプレグが巻回された領域の長さは、釣竿の全長の１〜１５％であることが好ましく、釣竿全体のベンディングカーブを維持しつつも高感度な穂先が得られる。
【００１６】
一方、外ガイド式の釣竿においてトップガイドが取り付けられた竿体がトップガイドから竿元側に所定距離離れた位置に二番ガイドを備えている構成においては、剛性付加用プリプレグは、トップガイドと二番ガイドとの間の距離を二分する中間位置よりも竿元側の位置まで巻回されていることが好ましい。尚、二番ガイドとは、トップガイドを一番目とし、先端から数えて二番目の釣糸ガイドであり、二番ガイドは竿体の長手方向に移動可能な遊動ガイドであってもよいし、所定位置に移動不能に固定された固定ガイドであってもよい。二番ガイドが遊動ガイドである場合には、所定位置に摩擦により停止する位置が二番ガイドの取付位置となる。そして、このように二番ガイドを備えた構成では、トップガイドと二番ガイドとの間の距離を二分する中間位置よりも竿元側の位置まで巻回されていることにより、高感度な穂先が得られる。
【００１７】
特に、剛性付加用プリプレグは二番ガイドよりも竿元側の位置まで巻回されていることが好ましい。各釣糸ガイドに釣糸が挿通されるため、釣糸は隣り合った釣糸ガイド同士の間で直線状になる一方、竿体は隣り合った釣糸ガイド同士の間で大きく曲がることになる。従って、突っ張り領域が二番ガイドを竿元側に越えて形成されていると、トップガイドと二番ガイドとの間の領域は全て突っ張り領域となり、トップガイドと二番ガイドとの間の領域が曲がりにくくなって、より一層高感度な穂先が得られる。
【００１８】
また本発明に係る釣竿の穂先竿は、釣糸を結着するための釣糸結着具が先端部に取り付けられた延べ竿式の釣竿の穂先竿であって、ブランクは、竿先側の突っ張り領域と竿元側のベンディング領域に区画され、突っ張り領域は、ベンディング領域よりも短く、突っ張り領域の先端側の一部が釣糸結着具を取り付けるための結着具取付領域であり、ブランクは、プリプレグから筒状に形成されたものであり、該プリプレグは、竿体の全長に亘って巻回されたメインプリプレグと、竿体の全長のうち結着具取付領域に巻回された径調整用プリプレグと、径調整用プリプレグよりも長く、竿体の全長のうち突っ張り領域のみに巻回された剛性付加用プリプレグとを備えていることを特徴とする。
【発明の効果】
【００１９】
以上のように、竿体のブランクを形成するプリプレグとして、全長を形成するためのメインプリプレグの他に剛性付加用プリプレグを用いて、その剛性付加用プリプレグを、竿体の全長のうち、先端から結着具取付領域やガイド取付領域を竿元側に所定長さ越えた位置までの領域のみに巻回することによって、剛性付加用プリプレグが巻回された領域が突っ張り領域として機能し、釣糸を伝達してきた水中情報が突っ張り領域から竿元側へと高感度で伝達される。
【図面の簡単な説明】
【００２０】
【図１】本発明の一実施形態における釣竿を示す概略正面図。
【図２】同釣竿の穂先近傍を示す概略正面図。
【図３】同釣竿のブランクの要部断面図。
【図４】同ブランクの製造工程を示す正面図。
【図５】同ブランクの製造工程を示す正面図。
【図６】同ブランクの穂先部分の断面図を模式的に示した図。
【図７】本発明の他の実施形態における釣竿の要部であって、（ａ）はブランクの製造工程を示す正面図、（ｂ）は同ブランクの穂先部分の断面図を模式的に示した図。
【図８】本発明の他の実施形態における釣竿の要部であって、（ａ）はブランクの製造工程を示す正面図、（ｂ）は同ブランクの穂先部分の断面図を模式的に示した図。
【図９】本発明の他の実施形態における釣竿の要部であって、（ａ）はブランクの製造工程を示す正面図、（ｂ）は同ブランクの穂先部分の断面図を模式的に示した図。
【図１０】本発明の他の実施形態における釣竿の要部を示す正面図。
【図１１】同釣竿の穂先部分を示す正面図。
【発明を実施するための形態】
【００２１】
以下、本発明の一実施形態に係る釣竿について図面を参酌しつつ説明する。本実施形態における釣竿は、延べ竿式の釣竿（以下、単に延べ竿という。）である。延べ竿は、代表的には鮎竿であるが渓流竿であってもよい。鮎竿の場合、例えば、継ぎ数が７〜１０本で、全長が８〜１０ｍのものである。延べ竿は、複数の竿体を振出式又は並継ぎ式に継ぎ合わせられて構成されるが、本実施形態では合計八本の竿体から構成され、振出式の８本継ぎのものを例示する。
【００２２】
図１に延べ竿の全体構成の概略を示しており、図２には延べ竿の穂先部分を示している。図２に示しているように、延べ竿を構成する複数の竿体のうち最も竿先側の竿体である穂先竿１は、二番目の竿体である穂持竿２の竿先側に振出式に継ぎ合わせられる。三番目〜七番目の竿体である中竿３，４，５，６，７も同様であり、これらの七本の竿体が最も竿元側に位置する元竿８に格納される。
【００２３】
穂先竿１が穂持竿２に振出式に継ぎ合わせられるため、穂先竿１の竿元側の端部には嵌合雄部１ｂが形成されている。筒状の穂持竿２の竿先側の端部には嵌合雌部２ａが形成され、使用時において、穂持竿２の嵌合雌部２ａの内側に穂先竿１の嵌合雄部１ｂが嵌合することにより、穂先竿１は、穂持竿２から竿先側に所定長さ突出した状態に保持される。
【００２４】
穂先竿１は、穂持竿２と同様に筒状であり、その先端部には釣糸を結着するための釣糸結着具２０が取り付けられている。該釣糸結着具２０は例えばその後部が筒状であってそこに穂先竿１のブランクの先端部が挿入され接着等により固定される。尚、釣糸結着具２０は、金属製であることが好ましく、その前部には穂先竿１の軸線（中心線）まわりに回転可能な回転部を備えることが好ましく、その回転部に釣糸を結着することにより釣糸の動きがスムーズになる。
【００２５】
穂先竿１のブランクは、図３のように、穂先側に位置し、竿元側に向けて徐々に小径となる逆テーパ形状、あるいは、径略一定のストレート形状に形成された突っ張り領域１１と、竿元側に位置し、竿元側に向けて徐々に大径となるテーパ形状（順テーパ形状）のベンディング領域１２とから構成される。即ち、穂先竿１のブランクは竿先側の領域と竿元側の領域の二つに区画され、竿先側の領域が突っ張り領域１１であり、竿元側の領域がベンディング領域１２である。尚、突っ張り領域１１はベンディング領域１２よりも短い。ブランクの内径は後述するマンドレル１００の外径であるが、そのブランクの内径は先端１３から後端まで所定の拡大率で徐々に大きくなっていく。従って、突っ張り領域１１における内径は竿元側に向けて徐々に大きくなっていくが、外径は竿元側に向けて徐々に大きくなっていくのではなく、竿元側に向けて徐々に小径となっていくか、あるいは、径略一定である。尚、突っ張り領域１１は、その全長が逆テーパ形状であってもよいし、径略一定のストレート形状であってもよく、また、逆テーパ形状とストレート形状が混在した形状であってもよい。
【００２６】
突っ張り領域１１の先端部の外周面には、釣糸結着具２０の後部が装着される。ブランクの全長のうち釣糸結着具２０を取り付けるための領域が結着具取付領域１０である。突っ張り領域１１は、この結着具取付領域１０よりも十分に長い。即ち、突っ張り領域１１は、釣糸結着具２０の後端２０ａよりも竿元側に延びている。また、突っ張り領域１１は、ブランクの先端１３から所定長さの部分であるが、結着具取付領域１０よりも竿元側に所定長さ越えた位置まで形成されている。尚、突っ張り領域１１の長さは、延べ竿の全長Ｌ（図１参照）に対して１〜１５％である。また、突っ張り領域１１の長さは、ブランクの全長に対して例えば１／１０以上であって１／３以下である。
【００２７】
穂先竿１は一本のブランクから構成されており、継ぎ合わせ部のない構成である。穂先竿１のブランクは、プリプレグを巻回して筒状に形成されたものである。該プリプレグは、各種の強化繊維にエポキシ樹脂等の樹脂を含浸させたものである。強化繊維としては例えばカーボン繊維やガラス繊維等が使用される。尚、ブランクの先端１３の内径は例えば２ｍｍ以下であり、ブランクの先端１３の外径は例えば３ｍｍ以下である。
【００２８】
具体的には、ブランクを構成するプリプレグは、図４に示すように、ブランクの全長に亘って巻回されているメインプリプレグ１０１と、ブランクの全長のうち先端１３から所定長さのみの領域に巻回された剛性付加用プリプレグ１０２と、釣糸結着具２０を装着するためにその釣糸結着具２０の内径にブランクの外径を調整するための先端外径調整用プリプレグ１０３と、嵌合雄部１ｂの外径を調整するため、あるいは、嵌合雄部１ｂにおける潰れを防止するためとしての後端外径調整用プリプレグ１０４とを備えている。
【００２９】
メインプリプレグ１０１がブランクの全長に亘って巻回されることから、ブランクは継ぎ合わせ部のない連続した一本の構成となり、従って、メインプリプレグ１０１の強化繊維もまたブランクの全長分の長さを有している。巻き数は一巻き以上である。該メインプリプレグ１０１の強化繊維は、好ましくはカーボン繊維である。メインプリプレグ１０１の強化繊維はブランクの長手方向（穂先竿１の長手方向）に指向しているものであってもよいが、ブランクの長手方向に対して１０度以下の角度で傾斜した方向に指向していることが好ましい。より好ましくは、メインプリプレグ１０１は、強化繊維がブランクの長手方向に対して一方向に向けて１０度以下の角度で傾斜した第一のバイアスプリプレグと、強化繊維がブランクの長手方向に対して前記一方向とは反対側の他方向に向けて１０度以下の角度で傾斜した第二のバイアスプリプレグとを積層したものである。即ち、第一のバイアスプリプレグの強化繊維と第二のバイアスプリプレグの強化繊維は互いに交差（クロス）する関係にある。このような第一及び第二のバイアスプリプレグは、一枚のプリプレグを同一サイズで対称形状に二枚裁断（カット）すればよく、その二枚のプリプレグをその表面あるいは裏面の何れか一方の面同士が対向するように貼り合わせる。即ち、表面同士を貼り合わせるか、裏面同士を貼り合わせることによって積層してメインプリプレグ１０１とすることができる。強化繊維の傾斜角度は１０度以下とするが、好ましくは５度以下である。例えば、第一のバイアスプリプレグの強化繊維が一方向に５度傾斜していて第二のバイアスプリプレグの強化繊維が反対側の他方向に５度傾斜していたとすると、第一及び第二のバイアスプリプレグの強化繊維同士の間の角度、即ち交差する角度は１０度となる。このように、第一のバイアスプリプレグの強化繊維と第二のバイアスプリプレグの強化繊維は、指向する方向は互いにプラスマイナス逆向きであるが、その傾斜角度の絶対値は同じであることが好ましく、第一のバイアスプリプレグの強化繊維が例えば＋５度であれば第二のバイアスプリプレグの強化繊維は−５度であることが好ましい。
【００３０】
剛性付加用プリプレグ１０２は、突っ張り領域１１の全長に亘って巻回され且つ突っ張り領域１１のみに巻回される。剛性付加用プリプレグ１０２の巻き数は一巻き以上である。即ち、メインプリプレグ１０１の他に剛性付加用プリプレグ１０２が巻回されることによって突っ張り領域１１が形成され、剛性付加用プリプレグ１０２の巻回領域は即ち突っ張り領域１１である。尚、剛性付加用プリプレグ１０２におけるブランクの長手方向の長さは、先端外径調整用プリプレグ１０３のそれよりも長い。剛性付加用プリプレグ１０２の強化繊維はカーボン繊維が好ましく、特には、メインプリプレグ１０１の強化繊維よりも高弾性のものが好ましい。また、剛性付加用プリプレグ１０２の強化繊維はブランクの長手方向に指向したものであることが好ましい。
【００３１】
先端外径調整用プリプレグ１０３は、周方向に指向した強化繊維を有することが好ましく、特に、強化繊維が周方向とブランクの長手方向の二方向に指向したものが好ましい。強化繊維はカーボン繊維であってもよいし、ガラス繊維であってもよい。先端外径調整用プリプレグ１０３の巻き数は任意であるが一巻き以上とされる。また、先端外径調整用プリプレグ１０３のブランクの長手方向の長さは、釣糸結着具２０を取り付けるための結着具取付領域１０の全長であり、外周に釣糸結着具２０が装着される領域の長さに略等しい。
【００３２】
後端外径調整用プリプレグ１０４も周方向に指向した強化繊維を有することが好ましい。強化繊維はカーボン繊維であってもよいし、ガラス繊維であってもよい。後端外径調整用プリプレグ１０４の巻き数も任意であるが一巻き以上とされる。また、後端外径調整用プリプレグ１０４におけるブランクの長手方向の長さは、嵌合雄部１ｂの全長とされる。
【００３３】
以上のような各プリプレグをマンドレル１００に巻回して穂先竿１のブランクを形成する。各プリプレグの巻回方法は任意であるが、例えば、図５に示すように、第一及び第二のバイアスプリプレグを積層して形成したメインプリプレグ１０１に剛性付加用プリプレグ１０２を予め貼り合わせておき、その貼り合わせ状態のものをマンドレル１００に巻回することが好ましい。図５では、プリプレグを載置しておき、マンドレル１００を図中の上側に向かって転がしていって、貼り合わせられたメインプリプレグ１０１と剛性付加用プリプレグ１０２の上にマンドレル１００を回転させながらマンドレル１００にこれらのプリプレグを巻き付けていく。尚、図５には、剛性付加用プリプレグ１０２をメインプリプレグ１０１の外面に貼り付けた場合を示している。また、図５では、先端外径調整用プリプレグ１０３や後端外径調整用プリプレグ１０４も予めメインプリプレグ１０１に貼り付けているが、これらは後から別途巻回しても構わない。図５では、先端外径調整用プリプレグ１０３や後端外径調整用プリプレグ１０４をメインプリプレグ１０１の内面に貼り付けた場合を示しているが、外面であってもよい。
【００３４】
図５のように、メインプリプレグ１０１に剛性付加用プリプレグ１０２を貼り付けておいた状態でマンドレル１００に巻回していくと、メインプリプレグ１０１と剛性付加用プリプレグ１０２はセットでマンドレル１００に巻回されることになる。剛性付加用プリプレグ１０２の周方向の長さは任意であるが、一例としては図５のようにメインプリプレグ１０１の周方向の長さよりも短くすることができる。また、剛性付加用プリプレグ１０２の周方向の始端１０２ａがメインプリプレグ１０１の周方向の始端１０１ａよりも周方向の外側にはみ出さないようにすることが好ましい。
【００３５】
メインプリプレグ１０１と剛性付加用プリプレグ１０２をセットでマンドレル１００に巻回したときの状態を模式的に図６に示している。図６において、メインプリプレグ１０１を実線で示し、剛性付加用プリプレグ１０２を二点鎖線で示している。後述する図７（ｂ）や図８（ｂ）、図９（ｂ）においても同様である。剛性付加用プリプレグ１０２の周方向の始端１０２ａがメインプリプレグ１０１の周方向の始端１０１ａよりも周方向の内側に所定長さ位置ずれして貼り合わせられているので、初めにメインプリプレグ１０１が所定長さ巻回され、所定角度遅れて剛性付加用プリプレグ１０２が巻回される。図６では、メインプリプレグ１０１が一巻き以上巻回された後、剛性付加用プリプレグ１０２と共に巻回される場合を示している。即ち、剛性付加用プリプレグ１０２はメインプリプレグ１０１に対して周回遅れで巻回される。但し、メインプリプレグ１０１が一巻き未満巻回された後に剛性付加用プリプレグ１０２と共に巻回されるようにしてもよい。尚、剛性付加用プリプレグ１０２は一巻き以上巻回されるが、メインプリプレグ１０１とセットで一巻き以上巻回されることが好ましい。
【００３６】
そして、図６では、剛性付加用プリプレグ１０２の巻回が僅かに先に終了し、その後、メインプリプレグ１０１が所定長さ巻回されてメインプリプレグ１０１の巻回が終了するが、これは任意であって、例えば、メインプリプレグ１０１の方が先に巻回を終了してもよいし、剛性付加用プリプレグ１０２とメインプリプレグ１０１が略同時に巻回を終了してもよい。但し、剛性付加用プリプレグ１０２をメインプリプレグ１０１に予め貼り合わせておく場合には、剛性付加用プリプレグ１０２の周方向の終端１０２ｂがメインプリプレグ１０１の周方向の終端１０１ｂよりも周方向の外側にはみ出さないようにしておくことが好ましい。即ち、剛性付加用プリプレグ１０２は、その周方向の始端１０２ａと終端１０２ｂの何れもがメインプリプレグ１０１から周方向の外側にはみ出さず、メインプリプレグ１０１の周方向の全長の範囲内に収まるように貼り合わせられることが好ましい。少なくとも、剛性付加用プリプレグ１０２の周方向の始端１０２ａはメインプリプレグ１０１の周方向の始端１０１ａから周方向の外側にはみ出さないようにしておくことが好ましい。尚、図５においては、先端外径調整用プリプレグ１０３はその周方向の後端がメインプリプレグ１０１の周方向の後端から周方向の外側にはみ出した状態で貼り付けられており、また、後端外径調整用プリプレグ１０４は、メインプリプレグ１０１の周方向の全長の範囲内に収まるように貼り合わせられている。尚、加熱焼成後において、ブランクの前端部と後端部はそれぞれ所定長さに亘ってカットされ除去されるが、そのカット位置Ｃを図５に一点鎖線で示している。
【００３７】
図６に示すように、本実施形態では、剛性付加用プリプレグ１０２はその周方向の全長に亘ってメインプリプレグ１０１の層間に挟み込まれた状態となって巻回される。但し、剛性付加用プリプレグ１０２はその周方向の少なくとも半分がメインプリプレグ１０１の層間に挟み込まれた状態になることが好ましい。また、メインプリプレグ１０１が一巻き以上巻かれた後に剛性付加用プリプレグ１０２が巻かれると、突っ張り領域１１における内周面は全周に亘ってメインプリプレグ１０１から構成されることになる。
【００３８】
以上のように構成された延べ竿の穂先竿１においては、メインプリプレグ１０１が穂先竿１のブランクの全長に亘って巻回されているので、ブランクは継ぎ合わせ部のない連続した一本の構成となり、高い周波数の振動や小さい振動を減衰少なく穂持竿２へと伝達できる。また、ブランクの全長に亘って巻回されたメインプリプレグ１０１の他に、ブランクの先端１３から所定長さに亘って剛性付加用プリプレグ１０２が巻回されて、ブランクの穂先部分に突っ張り領域１１が形成されているので、突っ張り領域１１の剛性が局所的に大きくなって曲がりにくくなり、それよりも竿元側のベンディング領域１２において主に曲がることになる。このように穂先に突っ張り領域１１が形成されることにより、穂先の感度が向上することになり、例えば、鮎の友釣りにおいては囮あゆの動きやハリが川底を擦れると言ったような水中情報が高感度で穂持竿２へと伝達され、釣り人の手元まで伝達されることになる。従って、釣り人はそのような水中情報を敏感に感じ取りながら釣りをすることができる。
【００３９】
特に、突っ張り領域１１の長さが延べ竿の全長の１〜１５％であると、延べ竿の全体のベンディングカーブを維持しつつも高感度な穂先が得られる。特に、剛性付加用プリプレグ１０２の強化繊維がメインプリプレグ１０１の強化繊維よりも高弾性であるので、突っ張り領域１１の剛性がより一層向上するうえに重量増加も抑制されて軽い穂先となり、より一層高感度な穂先が得られる。
【００４０】
また、メインプリプレグ１０１は、強化繊維が穂先竿１の長手方向に対して一方向に向けて１０度以下の角度で傾斜した第一のバイアスプリプレグと、強化繊維が穂先竿１の長手方向に対して前記一方向とは反対側の他方向に向けて１０度以下の角度で傾斜した第二のバイアスプリプレグとを積層したものであると、メインプリプレグ１０１の強化繊維が穂先竿１の長手方向に指向している場合に比してブランクの捻り剛性を向上させることができる。その一方、剛性付加用プリプレグ１０２の強化繊維が穂先竿１の長手方向に指向していると、突っ張り領域１１におけるツッパリ感や曲げ剛性を容易に確保できる。
【００４１】
更に、剛性付加用プリプレグ１０２の周方向の半分以上がメインプリプレグ１０１の層間に挟み込まれていると、突っ張り領域１１においてメインプリプレグ１０１と剛性付加用プリプレグ１０２とが融合一体化して高い密着性が得られる結果、より一層高い感度が得られる。剛性付加用プリプレグ１０２とメインプリプレグ１０１がセットで巻かれると、突っ張り領域１１の全厚のうち少なくとも一部には、剛性付加用プリプレグ１０２の層とメインプリプレグ１０１の層が交互に存在することになるため、メインプリプレグ１０１と剛性付加用プリプレグ１０２とが高い密着度合いで密着して層間剥離も防止され、高い強度と感度を得ることができ、経年劣化も少なくなる。特に、剛性付加用プリプレグ１０２がメインプリプレグ１０１の層間に一巻き以上挟み込まれていると、メインプリプレグ１０１と剛性付加用プリプレグ１０２とがより一層強固に一体化して高い感度が得られる。尚、剛性付加用プリプレグ１０２の周方向の始端１０２ａがメインプリプレグ１０１の周方向の始端１０１ａに対して略同一あるいは周方向の内側に位置した状態で貼り合わせられていると、巻き初めにおいて剛性付加用プリプレグ１０２が位置ずれしにくくなってシワ無く綺麗に巻回できる。
【００４２】
尚、メインプリプレグ１０１に対する剛性付加用プリプレグ１０２の周方向の貼り合わせ位置は任意であって、例えば図７（ａ）のように剛性付加用プリプレグ１０２の周方向の始端１０２ａがメインプリプレグ１０１の周方向の始端１０１ａの近傍であって且つ周方向の内側に位置する態様であってもよい。この場合も、メインプリプレグ１０１の外面に剛性付加用プリプレグ１０２が貼り合わせられていることから、図７（ｂ）のように突っ張り領域１１の内周面は全周に亘ってメインプリプレグ１０１から構成される。尚、メインプリプレグ１０１の周方向の始端１０１ａと剛性付加用プリプレグ１０２の周方向の始端１０２ａとが同一の位置にセットされていてもよく、その場合においても同様に、突っ張り領域１１の内周面は全周に亘ってメインプリプレグ１０１から構成される。また、図７（ｂ）の場合には、突っ張り領域１１の外周面も全周に亘ってメインプリプレグ１０１から構成される。
【００４３】
また、図８（ａ）のように剛性付加用プリプレグ１０２をメインプリプレグ１０１の外面ではなく内面に貼り合わせるようにしてもよい。この貼り合わせ態様においては、図８（ｂ）のように、メインプリプレグ１０１から先に巻回され、メインプリプレグ１０１が一巻き以上巻回された後に剛性付加用プリプレグ１０２が巻回され始める。従って、この場合も突っ張り領域１１の内周面は全周に亘ってメインプリプレグ１０１から構成されることになる。尚、図８（ｂ）では、突っ張り領域１１の外周面も全周に亘ってメインプリプレグ１０１から構成される。
【００４４】
一方、図９（ａ）のように剛性付加用プリプレグ１０２をメインプリプレグ１０１の内面に貼り合わせると共に、剛性付加用プリプレグ１０２の周方向の始端１０２ａをメインプリプレグ１０１の周方向の始端１０１ａの近傍であって且つ周方向の内側に位置する態様としてもよい。この場合、図９（ｂ）のように、メインプリプレグ１０１から先に巻回されるが、メインプリプレグ１０１が一巻き分巻回される前に剛性付加用プリプレグ１０２が巻回され始める。従って、突っ張り領域１１の内周面は、その全周のうち、所定角度範囲がメインプリプレグ１０１で構成され、残る所定角度範囲が剛性付加用プリプレグ１０２から構成される。このように、剛性付加用プリプレグ１０２をメインプリプレグ１０１の内面に貼り合わせる場合であっても、剛性付加用プリプレグ１０２の周方向の始端１０１ａがメインプリプレグ１０１の周方向の始端１０１ａから周方向の外側にはみ出さないように、剛性付加用プリプレグ１０２の周方向の始端１０１ａがメインプリプレグ１０１の周方向の始端１０１ａに対して同一あるいは周方向の内側に位置することが好ましい。尚、図９（ｂ）では、突っ張り領域１１の外周面も全周に亘ってメインプリプレグ１０１から構成される。
【００４５】
上記実施形態では、鮎竿に代表される延べ竿について説明したが、竿体の外側に釣糸ガイドを備えた外ガイド式の釣竿（単に外ガイド竿という。）であってもよい。一例として、複数の竿体が振出式又は並継ぎ式に継ぎ合わせられて外ガイド竿が構成される場合を説明する。外ガイド竿は、先端にトップガイド３１が装着され、そのトップガイド３１から所定距離竿元側に離れた位置に二番ガイド３２が装着され、以下、同様に距離をあけつつ三番ガイド３３、四番ガイド３４、五番ガイド３５、六番ガイド３６、七番ガイド３７等と複数個の釣糸ガイドが取り付けられる。二番ガイド３２を含めてそれ以降の釣糸ガイドは遊動式であっても固定式であってもよい。
【００４６】
図１０に外ガイド竿の穂先側の所定部分を示している。穂先竿１は穂持竿２に対して振出式又は並継ぎ式に継ぎ合わせられる。穂先竿１は、トップガイド３１から五番ガイド３５までを備え、穂持竿２は六番ガイド３６や七番ガイド３７等を備えている。穂先竿１の穂先部分を更に拡大して図１１に示している。上述したのと同様に、この穂先竿１も一本のブランクから構成され、竿先側の突っ張り領域１１と竿元側のベンディング領域１２とから構成される。突っ張り領域１１は、剛性付加用プリプレグ１０２が巻回された領域であって、ブランクの先端１３からトップガイド３１を取り付けるためのガイド取付領域４０を竿元側に所定長さ越えた位置まで形成されている。トップガイド３１は、その脚部がブランクの外周面に巻糸により固定され、接着されたり、あるいは、筒状の脚部とされてその脚部がブランクの先端部の外側に装着される。従って、トップガイド３１を取り付けるために巻糸が巻回された領域、あるいは、筒状の脚部が装着された領域がガイド取付領域４０となり、そのガイド取付領域４０を竿元側に所定長さ越えた位置まで突っ張り領域１１が形成されている。つまり、突っ張り領域１１は、ガイド取付領域４０の後端４０ａよりも竿元側に延びている。
【００４７】
また、突っ張り領域１１は、トップガイド３１と二番ガイド３２との間の距離を二分する中間位置Ｍよりも竿元側の位置まで巻回されていることが好ましく、特には、図１１に示すように、二番ガイド３２を竿元側に所定長さ越えて形成されていることが好ましい。図１１では、突っ張り領域１１が二番ガイド３２と三番ガイド３３の間の位置まで形成されているが、三番ガイド３３や四番ガイド３４を竿元側に越えてもよい。
【００４８】
このように、外ガイド竿においても、穂先竿１の穂先部分に突っ張り領域１１が形成されることにより、突っ張り領域１１では曲がりにくく、竿元側のベンディング領域１２において大きく曲がることになる。そして、穂先に突っ張り領域１１が形成されることにより穂先の感度が向上し、投げ釣りや磯釣り、船釣り等、各種の釣りにおいて、水中情報を敏感に感じ取ることができる。
【００４９】
特に、突っ張り領域１１がトップガイド３１と二番ガイド３２との間の距離を二分する中間位置Ｍよりも竿元側の位置まで形成されていると、高感度な穂先が得られる。更には、突っ張り領域１１が二番ガイド３２を竿元側に越えての位置まで巻回されていることが好ましく、トップガイド３１と二番ガイド３２との間の区間が全て突っ張り領域１１となるため、トップガイド３１と二番ガイド３２との間の区間が曲がりにくくなって、より一層高感度な穂先が得られる。
【００５０】
尚、上記実施形態では、複数の竿体から構成される釣竿について説明したが、一本の竿体からなる釣竿、いわゆるワンピースロッドであってもよい。
【００５１】
また、メインプリプレグ１０１の外面や内面に予め剛性付加用プリプレグ１０２を貼り合わせる方法について説明したが、メインプリプレグ１０１を巻回した上で更にその外側に剛性付加用プリプレグ１０２を巻回してもよいし、先に剛性付加用プリプレグ１０２を巻回した後、その外側にメインプリプレグ１０１を巻回してもよい。
【符号の説明】
【００５２】
１    穂先竿（竿体）
１ｂ  嵌合雄部
２    穂持竿（竿体）
２ａ  嵌合雌部
３    中竿（竿体）
４    中竿（竿体）
５    中竿（竿体）
６    中竿（竿体）
７    中竿（竿体）
８    元竿（竿体）
１０    結着具取付領域
１１    突っ張り領域
１２    ベンディング領域
１３    先端
２０    釣糸結着具
２０ａ  後端
１００  マンドレル
１０１  メインプリプレグ
１０１ａ  始端
１０１ｂ  後端
１０２  剛性付加用プリプレグ
１０２ａ  始端
１０２ｂ  後端
１０３  先端外径調整用プリプレグ
１０４  後端外径調整用プリプレグ
３１  トップガイド
３２  二番ガイド
３３  三番ガイド
３４  四番ガイド
３５  五番ガイド
３６  六番ガイド
３７  七番ガイド
４０  ガイド取付領域
４０ａ  後端
Ｃ  カット位置
Ｍ  中間位置
【図１】
0006433331.tif 000002
【図２】
0006433331.tif 000003
【図３】
0006433331.tif 000004
【図４】
0006433331.tif 000005
【図５】
0006433331.tif 000006
【図６】
0006433331.tif 000007
【図７】
0006433331.tif 000008
【図８】
0006433331.tif 000009
【図９】
0006433331.tif 000010
【図１０】
0006433331.tif 000011
【図１１】
0006433331.tif 000012